(57)【要約】【課題】従来のビードにおいて線圧発生に直接的に寄与していない部分で線圧を発生させることにより、ビードの高さ変位量に対する線圧の発生効率を向上することができるビードを提供する。【解決手段】ビードの周縁端部位と開口周縁部位との間に伸延する周縁部分をフランジ面との間に所要の角度をなすように跳ね上げまたは跳ね下げすることにより、従来、線圧の発生に対して直接的に寄与するものではなかった開口周縁部位で線圧を発生させることができる。【選択図】　　図３
2004019668.tif 000002
【特許請求の範囲】
【請求項１】
金属板に設けられた開口を囲繞するように形成されたビードであって、該ビードの周縁端部位と開口周縁部位との間に伸延する周縁部分はフランジ面との間に所要の角度をなすように跳ね上げまたは跳ね下げされる、ビード。
【請求項２】
前記周縁部分とフランジ面との間に形成される角度は、フランジ面間に装着されたとき、開口周縁部位において所要の線圧が発生するように選定される、請求項１に記載のビード。
【発明の詳細な説明】
【０００１】
【発明の属する技術分野】
本発明は、主として、内燃機関のシリンダヘッド等に用いられるメタルガスケットのような金属板に形成されるビードに関するものである。
【０００２】
【従来の技術】
周知の如く、フランジ面間を金属板によってシールする場合、そのシール作用は本質的にビードに依存しているといえる。このようなビードはその配設位置や本数や寸法形状等、適用されるフランジ面で要求される条件に応じて種々の形態があるが、ビード自体の形状としては、大別して、図１に示すように、１つの立上り部位Ａと１つの立下り部位Ｂを有するハーフビードと、図２に示すように、２つの立上り部位Ａ１、Ａ２と２つの立下り部位Ｂ１、Ｂ２を有するフルビードとに分けられる。フランジ面Ｃ１、Ｃ２間に装着されたとき、図１の（Ｂ）および図２の（Ｂ）に示すように、ビードの立上り部位Ａ；Ａ１，Ａ２と立下り部位Ｂ；Ｂ１，Ｂ２の各部位に線圧が発生することにより開口Ｄ内を通る流体をシールする。
【０００３】
ハーフビードは、その形状故に相対的にバネ常数が低く、シールに必要な有効線圧を発生させるためには大きな変位量が必要であり、ビードの高さ変位量に対する線圧の発生効率を向上することが困難であった。一方、フルビードでは、相対的にバネ常数が高いため、シールに必要な有効線圧は相対的に小さな変位量で得ることができるが、必然的にフランジ剛性やボルト締結力等を高くしなければならず、ビードの高さ変位量に対する線圧の発生効率を必ずしも向上させるものであるとはいえなかった。
【０００４】
【発明が解決しようとする課題】
本発明は、従来のビードにおいて線圧発生に直接的に寄与していない部分で線圧を発生させることにより、ビードの高さ変位量に対する線圧の発生効率を向上することができるビードを提供しようとするものである。
【０００５】
【課題を解決するための手段】
本発明によるビードは、金属板に設けられた開口を囲繞するように形成されたビードであって、このビードの周縁端部位と開口周縁部位との間に伸延する周縁部分はフランジ面との間に所要の角度をなすように跳ね上げまたは跳ね下げされる。
【０００６】
ビードの周縁端部位と開口周縁部位の間に延びる周縁部分は、従来のビードではビードの立上り部位での線圧発生のための支持部としての機能しか有していなかったが、フランジ面との間に所要の角度を付与することにより開口周縁部位がフランジ面に圧接して線圧を発生させることができる。これにより、本発明のビードは、従来、線圧の発生に対して直接的に寄与するものではなかった開口周縁部位で線圧を発生させることにより、従来形のビードにおける線圧発生部位であるビードの立上り部位と立下り部位に加え、開口周縁部位での線圧の発生を確保でき、より効果的なシールを行うことができる。
【０００７】
周縁部分とフランジ面との間に形成される角度は、フランジ面間に装着されたとき、開口周縁部位において所要の線圧が発生させるのに必要な角度に選定されるのが好ましい。
【０００８】
【発明の実施の形態】
本発明の実施例によるビードは、図３に示すように、金属板に設けられた流体が流動するための開口１を囲繞するように形成された少なくとも１本（図示の場合、１本）のビード２を備えている。ビード２は、図示の場合、従来技術におけるフルビードと同様な２つのビードへの立上り部位３ａ、３ｂと２つのビードからの立下り部位４ａ、４ｂとを有している。しかしながら、開口１の周縁部位１ａと開口１に近接する側のビードの立上り部位（図示の場合、立上り部位３ｂ）との間に介在する周縁部分５ａがフランジ面（厳密には、フランジ面間に置かれそしてボルト締結力が加えられてない状態（図３の（Ａ）参照）で、開口に近接する側の立上り部位が当接する側のフランジ面）６ａまたは６ｂ（図示の場合、フランジ面６ｂ）に対して所要の角度αを有するように跳ね上げ（上下の位置関係によっては、跳ね下げ）されている点で従来技術におけるビード形態とは異なっており、そして、この点が本発明の最大の特色の一つである。
【０００９】
角度αは、フランジ面６ａ、６ｂ間に装着されたとき、開口周縁部位１ａにおいて所要の線圧が発生することができるように選定されている。角度αの実際的な角度は、メタルガスケットを形成する材料の材質や厚さ、適用されるフランジ面の寸法形状、ビードの寸法形状等の種々の要因によって適当に選定される。必ずしも限定を意味するものではないが、一般的に、ビードの立上り部位３ａ、３ｂまたは立下り部位４ａ、４ｂにおいてビードの斜辺部分７と対応するフランジ面６ａまたは６ｂとの間に形成される角度βと同等またはそれ以上の角度に形成される。
【００１０】
上述の如く形成される本発明のビードは、一対のフランジ面６ａ、６ｂ間に配置され、締付ボルト（図示なし）によって締め付けられる。このとき、線圧は、従来形のビードの場合と同様に、立上り部位３ａ、３ｂと立下り部位４ａ、４ｂにおいて発生し、それと同時に、周縁部分５ａがフランジ面６ｂ（または６ａ）に対して角度αを有するように形成されていることにより、開口周縁部位１ａにおいてもまた線圧が発生する。
【００１１】
重複を避けるためにその詳細については割愛するが、ビードがハーフビードの場合、図４に示すように、ビードからの立下り部位４ｃと開口周縁部位１ｂとの間に介在する周縁部分５ｂが前述した周縁部分５ａと同様に跳ね下げまたは跳ね上げられて構成され、ビードへの立上り部位３ｃと立下り部位４ｃと開口周縁部位１ｂの３つの部位において線圧を発生させることができる。
【００１２】
また、シリンダーヘッド／シリンダーブロックにおけるように、相互に近接したボア間の相対的に狭いフランジ面である場合、前述したフルビードにおける周縁部分５ａおよびハーフビードにおける周縁部分５ｂは、図５および図６にそれぞれ示すように、立上り部位３ａおよび３ｂとこれらの各部位にそれぞれ近接する側の開口周縁部位１ｃまたは１ｄとの各間、並びに、立上り部位３ｃと立下り部位４ｃとこれらの各部位にそれぞれ近接する側の開口周縁部位１ｅまたは１ｆとの各間に延びる各２つの周縁部分５ｃおよび５ｄ並びに周縁部分５ｅおよび５ｆがそれぞれ相当することになる。これらの周縁部分５ｃ、５ｄおよび周縁部分５ｅ、５ｆはそれぞれ、前述した周縁部分５ａと同様に跳ね下げまたは跳ね上げられて構成され、フルビードの場合（図５参照）、立上り部位３ａ、３ｂおよび立下り部位４ａ、４ｂに加え、開口周縁部位１ｃ、１ｄの２つの部位において、一方、ハーフビードの場合（図６参照）、立上り部位３ｃおよび立下り部位４ｃに加え、開口周縁部位１ｅ、１ｆの２つの部位において、それぞれ追加の線圧を発生させることができる。
【００１３】
【発明の効果】
本発明のビードによるシール効果を確認するために、ＳＵＳ基材、板厚０．２０ｍｍと０．２５ｍｍを使用し、図７に示すように、外径９０ｍｍ、内径７４ｍｍのリング状のテストピースに、図５および図６に示す本発明のフルビードおよびハーフビードを形成したものと、比較のために図２および図１に示す従来形のフルビードおよびハーフビードを形成したものとを用意した。ビードに発生される線圧が２．９４ｋＮ／ｃｍとなるようにテストピースを取り付け、繰り返し圧縮を行い、初回時とｎ回時の圧縮復元特性を評価した。その結果を図８に示す。この結果からビードの圧縮量に対する発生線圧並びにビード圧縮抵抗を算出したところ、それぞれ図９に示すような結果であった。
【００１４】
この結果から明らかなように、本発明のビードは、従来形のビードと比較して、ビード圧縮抵抗が低く、ビード圧縮量の変化に対する線圧の変化が小さいことが判明した。このことは、フランジ面間に装着するときのボルト締結量にバラツキがあったとしても、或いはボルト締結量が経年的または時間的に変化しても常に所要の線圧を保持することができ、それにより、所要のシール効果を常に発揮することができることを意味している。
【図面の簡単な説明】
【図１】従来のハーフビード形のビードを示す図で、（Ａ）はビードが圧縮されていない状態を示し、（Ｂ）はビードが圧縮された状態を示す。
【図２】従来のフルビード形のビードを示す図１と同様な図である。
【図３】本発明の実施例によるフルビード形のビードを示す図１と同様な図である。
【図４】本発明の実施例によるハーフビード形のビードを示す図１と同様な図である。
【図５】本発明の実施例によるフルビード形のビードの別の例を示す図１と同様な図である。
【図６】本発明の実施例によるハーフビード形のビードの別の例を示す図１と同様な図である。
【図７】ビードの圧縮復元特性試験に用いたテストピースを説明するための図である。
【図８】本発明の実施例によるビードの圧縮復元特性の試験結果を示す図である。
【図９】本発明の実施例によるビードの圧縮特性の試験結果を示す図である。
【符号の説明】
１　　開口
１ａ、１ｂ、１ｃ、１ｄ、１ｅ、１ｆ　　開口周縁部位
２　　ビード
３ａ、３ｂ、３ｃ　　立上り部位
４ａ、４ｂ、４ｃ　　立下り部位
５ａ、５ｂ、５ｃ、５ｄ、５ｅ、５ｆ　　周縁部分
６ａ、６ｂ　　フランジ面
７　　斜辺部分
α、β　　角度
Ａ、Ａ１、Ａ２　　立上り部位
Ｂ、Ｂ１、Ｂ２　　立下り部位
Ｃ１、Ｃ２　　フランジ面
【図１】
2004019668.tif 000003
【図２】
2004019668.tif 000004
【図３】
2004019668.tif 000005
【図４】
2004019668.tif 000006
【図５】
2004019668.tif 000007
【図６】
2004019668.tif 000008
【図７】
2004019668.tif 000009
【図８】
2004019668.tif 000010
【図９】
2004019668.tif 000011